(57)【要約】【課題】  通信端末が特定の頁画像を選択して受信することができる映像配信装置を提供する。【解決手段】  映像配信装置１４は、通信端末（ユーザ端末３０）と通信可能に接続され、該通信端末に映像を配信する映像配信装置であって、複数の頁画像（ページの映像）を生成する頁画像生成部（エンコード部１４ｃ）と、通信端末への配信対象の頁画像を該通信端末に選択させるための、頁画像の一覧を含む画像を生成する画像生成部１４ｂと、該画像を通信端末に送信し、該通信端末から頁画像の選択結果を受信すると、通信端末で選択された頁画像を含む映像を通信端末に配信する配信制御部１４ｄと、を備えている。【選択図】図４
2017169155.tif 000002
【特許請求の範囲】
【請求項１】
通信端末と通信可能に接続され、該通信端末に映像を配信する映像配信装置であって、
複数の頁画像を生成する頁画像生成部と、
前記通信端末への配信対象の前記頁画像を前記通信端末に選択させるための、前記頁画像の一覧を含む画像を生成する画像生成部と、
前記画像のデータを前記通信端末に送信し、該通信端末から前記頁画像の選択結果を受信すると、前記通信端末で選択された前記頁画像を含む映像を前記通信端末に配信する配信制御部と、を備える映像配信装置。
【請求項２】
前記配信制御部は、前記通信端末と該通信端末への配信対象の頁画像を紐づけて管理し、
前記通信端末から前記選択結果を受信すると、前記紐づけを解くことを特徴とする請求項１に記載の映像配信装置。
【請求項３】
前記配信制御部は、前記通信端末からの要求に応じて、該通信端末に前記データを送信することを特徴とする請求項２に記載の映像配信装置。
【請求項４】
前記画像生成部は、前記頁画像に変更が生じると、前記一覧を更新することを特徴とする請求項１〜３のいずれか一項に記載の映像配信装置。
【請求項５】
前記配信制御部は、前記通信端末に応じて、送信する前記データに含まれる前記一覧の内容を変更可能なことを特徴とする請求項１〜４のいずれか一項に記載の映像配信装置。
【請求項６】
前記データは、前記頁画像の頁情報を含むことを特徴とする請求項１〜５のいずれか一項に記載の映像配信装置。
【請求項７】
請求項１〜６のいずれか一項に記載の映像配信装置と、
前記頁画像を含む映像を表示する表示部と、を備える表示装置。
【請求項８】
前記表示部は、タッチパネル機能を有することを特徴とする請求項７に記載の表示装置。
【請求項９】
請求項１〜６のいずれか一項に記載の映像配信装置と、
前記通信端末と、を備える通信システム。
【請求項１０】
請求項７又は８に記載の表示装置と、
前記通信端末と、を備える通信システム。
【請求項１１】
通信端末に映像を配信する映像配信方法であって、
複数の頁画像を生成する工程と、
前記通信端末に配信対象の前記頁画像を選択させるための、前記頁画像の一覧を含む画像を生成する工程と、
前記画像のデータを前記通信端末に送信する工程と、
前記通信端末から前記頁画像の選択結果を受信する工程と、
前記通信端末で選択された前記頁画像を含む映像を前記通信端末に配信する工程と、を含む映像配信方法。
【発明の詳細な説明】
【技術分野】
【０００１】
本発明は、映像配信装置、表示装置、通信システム及び映像配信方法に関する。
【背景技術】
【０００２】
近年、頁画像を含む映像を通信端末に配信する装置の開発が盛んに行われている（例えば特許文献１参照）。
【発明の概要】
【発明が解決しようとする課題】
【０００３】
しかしながら、特許文献１に開示されている装置では、通信端末が特定の頁画像のデータを選択して受信することができなかった。
【課題を解決するための手段】
【０００４】
本発明は、通信端末と通信可能に接続され、該通信端末に映像を配信する映像配信装置であって、複数の頁画像を生成する頁画像生成部と、前記通信端末への配信対象の前記頁画像を該通信端末に選択させるための、前記複数の頁画像の一覧を含む画像を生成する画像生成部と、前記画像のデータを前記通信端末に送信し、該通信端末から前記頁画像の選択結果を受信すると、前記通信端末で選択された前記頁画像を含む映像を前記通信端末に配信する配信制御部と、を備える映像配信装置である。
【発明の効果】
【０００５】
本発明によれば、通信端末が特定の頁画像のデータを選択して受信することができる。
【図面の簡単な説明】
【０００６】
【図１】一実施形態の通信システム１００の構成を概略的に示す図である。
【図２】従来例の映像配信方法（その１）を説明するための図である。
【図３】従来例の映像配信方法（その２）を説明するための図である。
【図４】ＩＷＢ１０のハードウェア構成を示すブロック図である。
【図５】ユーザ端末３０のハードウェア構成を示すブロック図である。
【図６】通信システム１００の動作シーケンスを示す図である。
【図７】図７（Ａ）は、ＩＷＢ１０の表示部に表示された頁毎の映像を示す図であり、図７（Ｂ）は、ユーザ端末３０で表示されるページ一覧を示す図である。
【発明を実施するための形態】
【０００７】
以下、本発明の一実施形態について図面を参照して説明する。
【０００８】
《システムの概要》
図１には、一実施形態の通信システム１００の全体構成が概略的に示されている。
【０００９】
通信システム１００は、一例として図１に示されるように、ＩＷＢ１０（表示装置）と、ルータ２０（中継装置）と、少なくとも１つのユーザ端末３０（通信端末）と、を含んで構成される。なお、「ＩＷＢ」は、インタラクティブホワイトボード（電子黒板）の略称である。本明細書において、少なくとも１つのユーザ端末（例えば図１に示される４つのユーザ端末３０−１、３０−２、３０−３、３０−４）を「ユーザ端末３０」と総称する。
【００１０】
ＩＷＢ１０と各ユーザ端末は、ネットワーク（例えばインターネット等）を介して通信可能に接続されている。
【００１１】
ユーザ端末３０としては、例えばＰＣ（パーソナルコンピュータ）、タブレット等が挙げられる。
【００１２】
ここでは、ユーザ端末としての２つのＰＣがネットワークを介してＩＷＢ１０に有線接続もしくは無線接続されている。また、ＩＷＢ１０とルータ２０がネットワークを介して有線接続もしくは無線接続され、ユーザ端末としての２つのタブレットがルータ２０と無線接続（例えばＷｉｆｉ接続で）されている。
【００１３】
《従来の映像配信方法》
ここで、従来のＩＷＢとユーザ端末を含む通信システムにおける映像配信方法（その１）について図２を参照して説明する。
【００１４】
図２では、ＩＷＢにおいて３ページ（ページ１〜３）の映像が作成されており、ＩＷＢの表示部に２ページ目（中央のページ）の映像が大きく表示され、３ページの映像がページリストとして小さく表示されている。
【００１５】
なお、ＩＷＢにおいて作成される映像は、ＩＷＢの表示部のタッチパネル機能を利用して直接的に書き込まれた画像や、ＩＷＢとユーザ端末との間の共有ホワイトボード機能を利用してユーザ端末からＩＷＢの表示部に間接的（遠隔的）に書き込まれた画像を含む映像である。
【００１６】
ＩＷＢでは、各ユーザ端末からの閲覧要求を受信したときに該ユーザ端末に配信する映像が予め設定されている。
【００１７】
例えば、「全てのユーザ端末に全画面の映像を配信する」や「ユーザ端末１に対してはページ１（ページリストの左端のページ）の映像を配信し、ユーザ端末２に対してはページ２（ページリストの中央のページ）の映像を配信する」などに設定されている。
【００１８】
図２では「全てのユーザ端末に全画面の映像を配信する」と設定されている
【００１９】
ユーザは、ユーザ端末を閲覧したいＩＷＢにネットワーク経由で接続する。ＩＷＢは各ユーザ端末からの閲覧要求を受信すると、ユーザ端末毎に予め設定されている映像（ここでは全画面の映像）を該ユーザ端末に配信する。
【００２０】
次に、従来のＩＷＢとユーザ端末を含む通信システムにおける映像配信方法（その２）について図３を参照して説明する。
【００２１】
図３では、ＩＷＢにおいて３ページ（ページ１〜３）の映像が作成されており、表示部に２ページ目（中央のページ）の映像が大きく表示され、３ページの映像がページリストとして小さく表示されている。
【００２２】
なお、ＩＷＢにおいて作成される映像は、ＩＷＢの表示部のタッチパネル機能を利用して直接的に書き込まれた画像や、ＩＷＢとユーザ端末との間の共有ホワイトボード機能を利用してユーザ端末からＩＷＢの表示部に間接的（遠隔的）に書き込まれた画像を含む映像である。
【００２３】
図３では「ユーザ端末１に対してはページ１（ページリストの左端のページ）の映像を配信し、ユーザ端末２に対してはページ２（ページリストの中央のページ）の映像を配信する」と設定されている。
【００２４】
ユーザは、ユーザ端末を閲覧したいＩＷＢにネットワーク経由で接続する。ＩＷＢは各ユーザ端末からの閲覧要求を受信すると、ユーザ端末毎に予め設定されている映像（ここではユーザ端末１に対してはページ１の映像、ユーザ端末２に対してはページ２の映像）を該ユーザ端末に配信する。
【００２５】
《ＩＷＢのハードウェア構成》
図４には、本実施形態のＩＷＢ１０のハードウェア構成が示されている。
【００２６】
ＩＷＢ１０は、図４に示されるように、タッチパネル機能を有する表示部１２と、複数ページの映像を生成し、ページ毎の映像（「ページ画像」とも呼ぶ）を含む映像をユーザ端末に配信する映像配信装置１４とを含む。
【００２７】
なお、ＩＷＢ１０において作成される映像は、ＩＷＢ１０の表示部１２のタッチパネル機能を利用して直接的に書き込まれた画像や、ＩＷＢ１０とユーザ端末３０との間の共有ホワイトボード機能を利用してユーザ端末３０からＩＷＢ１０の表示部１２に間接的（遠隔的）に書き込まれた画像を含む映像である。
【００２８】
表示部１２には、一例として、映像配信装置１４によって生成された複数ページの映像のうち１つのページの映像が大きく表示され、複数のページの映像がページリストとして小さく表示される。
【００２９】
映像配信装置１４は、ホワイトボード機能実行部１４ａと、画像生成部１４ｂと、エンコード部１４ｃと、配信制御部１４ｄとを含む。
【００３０】
ホワイトボード機能実行部１４ａは、ホワイトボードの機能全般を実行する。
【００３１】
具体的には、ホワイトボード機能実行部１４ａは、ストローク描画、削除、編集を行う。
【００３２】
また、ホワイトボード機能実行部１４ａは、ページの追加、削除を行う。ホワイトボード機能実行部１４ａは、ページを追加した場合に配信制御部１４ｄに「ページ追加通知」を行い、ページを削除した場合に配信制御部１４ｄに「ページ削除通知」を行う。
【００３３】
また、ホワイトボード機能実行部１４ａは、ページ画像に変更が発生した場合に画像生成部１４ｂに「ページ画像変更通知」を行う。
【００３４】
画像生成部１４ｂは、配信制御部１４ｄからの指示を受けて画像化（画像生成）を開始、終了する。
【００３５】
また、画像生成部１４ｂは、配信制御部１４ｄからの指示を受けてページ毎のサムネイル画像（縮小画像）の作成を開始、終了する。
【００３６】
また、画像生成部１４ｂは、エンコード部１４ｃに入力する画像（例：ＲＧＢ形式）を生成する。
【００３７】
また、画像生成部１４ｂは、画面の映像を配信するときは、画面キャプチャを実行し画像化し、各ページの映像を配信するときは、各ページの内容を画像化する。
【００３８】
画像生成部１４ｂが画像化するタイミングは以下の（１）、（２）のいずれかである。
（１）一定周期（例えば１ＦＰＳ）
（２）画像化する対象に変化が発生した場合（ホワイトボード機能実行部から「ページ画像変更通知」を受信した場合）
【００３９】
画像生成部１４ｂは、ホワイトボード機能実行部１４ａから「ページ画像変更通知」を受信したときに各ページのサムネイル画像を更新する。
【００４０】
エンコード部１４ｃは、配信制御部１４ｄからの指示を受けて、エンコードを開始、終了する。
【００４１】
具体的には、エンコード部１４ｃは、画像生成部１４ｂで生成された画像に基づいてユーザ端末に配信する映像を生成し、出力する。詳述すると、エンコード部１４ｃは、画像（例えば画面キャプチャ）をエンコード（符号化）し圧縮映像（例：H.264形式）として出力する。この際、一定周期（例えば１ＦＰＳ）で画像（例えば画面キャプチャ）をエンコードする。
【００４２】
配信制御部１４ｄは、ユーザ端末からの閲覧要求を受け付ける。
【００４３】
また、配信制御部１４ｄは、ユーザ端末と該ユーザ端末に配信するページ画像を含む映像（配信映像）を紐付けて管理する。なお、１つの配信映像に複数のユーザ端末が紐付くこともある。
【００４４】
また、配信制御部１４ｄは、エンコード部１４ｃが出力した圧縮映像をユーザ端末に送信する。
【００４５】
また、配信制御部１４ｄは、ホワイトボード機能実行部１４ａから「ページ追加通知」を受信すると、エンコード部１４ｃ、画像生成部１４ｂに、該当ページのエンコード開始を通知する。
【００４６】
また、配信制御部１４ｄは、ホワイトボード機能実行部１４ａからの「ページ削除通知」を受信すると、エンコード部１４ｃ、画像生成部１４ｂに、該当ページのエンコード終了を通知する。
【００４７】
また、配信制御部１４ｄは、ユーザ端末から「ページ一覧取得要求」を受信すると、ページ情報リストとサムネイル画像をユーザ端末に返信する。
【００４８】
また、配信制御部１４ｄは、ユーザ端末から「特定ページの閲覧要求」を受信すると、該当ユーザ端末に紐付いている配信映像を特定のページ画像を含む映像に切り替える。
【００４９】
《ユーザ端末のハードウェア構成》
図５には、ユーザ端末３０のハードウェア構成が示されている。
【００５０】
ユーザ端末３０は、図５に示されるように、通信部３０ａ、ＵＩ部３０ｂ、デコード部３０ｃを含む。なお、「ＵＩ」は、ユーザインターフェースの略称である。
【００５１】
通信部３０ａは、ＩＷＢ１０とネットワークを介して制御情報、圧縮映像を送受信する。
【００５２】
また、通信部３０ａは、「ページ一覧取得要求」や「特定ページの閲覧要求」を、ネットワークを介してＩＷＢ１０に送信する。
【００５３】
また、通信部３０ａは、「ページ一覧情報」を、ネットワークを介してＩＷＢ１０から受信する。
【００５４】
また、通信部３０ａは、受信した圧縮映像をデコード部３０ｃに受け渡す。
【００５５】
デコード部３０ｃは、圧縮映像をデコードし、画面に描画するための画像をＵＩ部３０ｂに出力する。
【００５６】
ＵＩ部３０ｂは、アプリケーション操作用のＵＩ画面を表示面に表示する。
【００５７】
また、ＵＩ部３０ｂは、デコード部３０ｃがデコードした画像を表示面に描画する。
【００５８】
また、ＵＩ部３０ｂは、例えばユーザ端末がＰＣの場合にはユーザのキーボード操作やマウス操作によるページ一覧表示要求を受け付け、例えばユーザ端末がタブレットの場合にはユーザのタッチパネル操作によるページ一覧表示要求を受け付ける。
【００５９】
ＵＩ部３０ｂは、ユーザから「ページ一覧表示要求」を受け付けると、通信部３０ａに「ページ一覧取得要求」の送信を依頼する。
【００６０】
ＵＩ部３０ｂは、通信部３０ａから「ページ一覧情報」を受信すると、ページ情報とサムネイルの一覧を表示部（ＰＣのディスプレイや、タブレットの表示面）に表示する。
【００６１】
ＵＩ部３０ｂは、ユーザが表示部１２に表示されたページ一覧から特定のページを選択した場合に、通信部３０ａに「特定ページの閲覧要求」の送信を依頼する。
【００６２】
図６には、特定ページ閲覧時の処理の流れを示すシーケンス図が示されている。
【００６３】
すなわち、図６には、ユーザが特定ページを閲覧するまでのモジュール間メッセージ、データの流れが表されている。
【００６４】
ユーザは、ＵＩ部３０ｂに「１．ページ一覧表示要求」を出す（これは、例えば、キーボード操作、マウス操作、タッチパネル操作により行われる。
【００６５】
ＵＩ部３０ｂは、ユーザから「１．ページ一覧表示要求」を受信すると、通信部３０ａを介してＩＷＢ１０の配信制御部１４ｄに「１．１．１．ページ一覧取得要求」を送信する。
【００６６】
配信制御部１４ｄは、「１．１．１．ページ一覧取得要求」を受信すると画像生成部１４ｂに「１．１．１．１．サムネイル取得要求」を送り、「２．全ページのサムネイル」を受け取る。
【００６７】
ＵＩ部３０ｂは、「２．全ページのサムネイル」を配信制御部１４ｄ、通信部３０ａを介して受信する。
【００６８】
ＵＩ部３０ｂは、「２．１．１．全ページのサムネイル」を受信すると、ユーザ端末３０の表示面にページ選択用画面である「３．ページ一覧」を表示する。
【００６９】
ユーザは「３．ページ一覧」がユーザ端末３０の表示面に表示されると、所望のページを選択し、ＵＩ部３０ｂに「４．特定ページの閲覧要求」を送る。
【００７０】
ＵＩ部３０ｂが受信した「４．特定ページの閲覧要求」は通信部３０ａを介して配信制御部１４ｄに送られる。
【００７１】
配信制御部１４ｄは、「４．１．１．特定ページの閲覧要求」を受信すると、当該ユーザ端末３０に紐付いている映像を特定ページの映像に切り替える。
【００７２】
以降、ユーザ端末３０には「６．特定ページの圧縮映像」が送信される。
【００７３】
図７（Ａ）には、ＩＷＢ１０の表示部１２に表示されたページ画像を含む映像の一例が示されている。図７（Ｂ）には、ユーザ端末３０の表示面に表示されたページ一覧選択画面の一例が示されている。
【００７４】
図７（Ａ）では、ＩＷＢ１０において、５ページの映像が作成されており、そのうち３ページがＩＷＢ１０の表示部１２にページリストとして表示されている。なお、表示部１２にページリストとして表示できるページ数には上限がある。
【００７５】
この状態で、ユーザ端末３０がＩＷＢ１０に「ページ一覧取得要求」を送信すると、５ページ分のページ情報（例えばページ番号など）とページ一覧を示すサムネイルが返信されてくる。それらがユーザ端末３０の表示面に表示された結果が、図７（Ｂ）に示されるページ一覧選択画面である。
【００７６】
ユーザ端末３０の表示面のページ一覧選択画面にはページ画像毎のサムネイルとページ番号が表示されており、ユーザはユーザ端末３０において所望のページを選択することが可能である。
【００７７】
要するに、ＩＷＢ１０は各ページで更新が発生するたびに、該ページのサムネイルを更新する。一方、ユーザ端末３０は、ＩＷＢ１０にページ一覧取得要求を送信し、ＩＷＢはページ情報と各ページのサムネイルをユーザ端末３０に送信する。ユーザ端末３０は、複数のサムネイルを含むページ一覧と各ページのページ情報を表示し、ユーザが選択したページの閲覧要求をＩＷＢ１０に送信する。ＩＷＢ１０はページ閲覧要求を受信すると、当該ユーザ端末３０に紐付いている配信映像を、要求されたページの映像を含む配信映像に切り替える。
【００７８】
以上説明した本実施形態の映像配信装置１４は、通信端末（ユーザ端末３０）と通信可能に接続され、該通信端末に映像を配信する映像配信装置であって、複数の頁画像（ページの映像）を生成する頁画像生成部（エンコード部１４ｃ）と、通信端末への配信対象の頁画像を該通信端末に選択させるための、頁画像の一覧を含む画像を生成する画像生成部１４ｂと、該画像のデータを通信端末に送信し、該通信端末から頁画像の選択結果を受信すると、通信端末で選択された頁画像を含む映像を通信端末に配信する配信制御部１４ｄと、を備えている。
【００７９】
この場合、通信端末で配信対象の頁画像が選択され、選択された頁画像を含む映像が該通信端末に配信される。
【００８０】
すなわち、通信端末が特定の頁画像のデータを選択して受信することができる。
【００８１】
一方、特許文献１（特開２００９‐１５７７９９号公報）には、配信装置の容量を削減する目的で、情報登録者端末が配信装置にサムネイル（インデックス情報）を登録し、ユーザ端末が配信装置から提示されたサムネイルを表示し、ユーザがサムネイルを選択すると、配信装置は情報登録者端末からコンテンツをロードして、配信装置からユーザ端末に該当するコンテンツを配信する方法が開示されている。
【００８２】
しかしながら、特許文献１では、通信端末が特定の頁画像を選択して受信することはできなかった。
【００８３】
また、配信制御部１４ｄは、通信端末と該通信端末への配信対象の頁画像を紐づけて管理し、通信端末から頁画像の選択結果を受信したときに、その紐づけを解くことが好ましい。
【００８４】
この場合、通信端末から頁画像の選択結果を受信しない場合でも、通信端末に紐づけられた頁画像を含む映像を自動的に配信することができる。
【００８５】
さらに、配信制御部１４ｄは、通信端末からの要求に応じて、該通信端末に頁画像の一覧を含む画像のデータを送信することが好ましい。
【００８６】
この場合、通信端末からの要求がないときには、該通信端末へ頁画像の一覧を含む画像のデータを送信する必要がない。すなわち、ユーザが頁画像を選択して閲覧する必要がないときには、その選択の機会を与える必要がない。
【００８７】
また、画像生成部１４ｂは、頁画像に変更が生じたときに頁画像の一覧を更新することが好ましい。
【００８８】
この場合、頁画像の一覧を最新の状態に維持することができ、ひいては古い（更新前）の頁画像のデータが通信端末に送信されるのを抑制できる。
【００８９】
また、配信制御部１４ｄは、通信端末に応じて、送信する画像のデータに含まれる一覧の内容を変更可能なことが好ましい。
【００９０】
この場合、ユーザ毎に閲覧可能な頁を制御できる。すなわち、ユーザ毎に閲覧可能なページを割り当てることができる。例えば、「ユーザ１はページ１を閲覧可能、ユーザ２はページ２を閲覧不可」等とすることができる。
【００９１】
また、頁画像の一覧を含む画像のデータは、頁画像の頁情報（例えばページ番号）を含むことが好ましい。
【００９２】
この場合、通信端末での頁画像の選択の効率を向上させることができる。
【００９３】
また、映像配信装置１４と映像を表示する表示部１２とを備える表示装置（ＩＷＢ１０）によれば、表示部１２に頁画像を含む映像を表示できるため、表示装置のユーザは表示された映像を閲覧することができる。
【００９４】
また、表示部１２は、タッチパネル機能を有する。この場合、表示装置のユーザは表示部１２に対して直接的に書込みを行うことができる。なお、表示装置の表示部は、タッチパネル機能を有しない、単なるモニタであっても良い。
【００９５】
また、映像配信装置１４と通信端末（ユーザ端末３０）とを備える通信システムによれば、通信端末のユーザが所望の頁画像を閲覧可能な通信システムを構築できる。
【００９６】
また、表示装置（ＩＷＢ１０）と通信端末（ユーザ端末３０）とを備える通信システムによれば、表示装置のユーザが表示部１２に表示された頁画像を閲覧でき、かつ通信端末のユーザが所望の頁画像を閲覧可能な通信システムを構築できる。
【００９７】
また、本実施形態の映像配信方法は、通信端末（ユーザ端末３０）に映像を配信する映像配信方法であって、複数の頁画像を生成する工程と、通信端末に配信対象の頁画像を選択させるための、頁画像の一覧を含む画像を生成する工程と、該画像のデータを通信端末に送信する工程と、通信端末から頁画像の選択結果を受信する工程と、通信端末で選択された頁画像を含む映像を通信端末に配信する工程と、を含む。
【００９８】
この場合、通信端末で配信対象の頁画像が選択され、選択された頁画像を含む映像が該通信端末に配信される。
【００９９】
すなわち、通信端末が特定の頁画像のデータを選択して受信することができる。
【０１００】
なお、本発明の映像配信装置、表示装置、通信システム、映像配信方法は、上記実施形態に限定されず、適宜変更可能である。
【０１０１】
例えば、上記実施形態では、通信システムは、映像配信装置１４と表示部１２を備えているが、表示部１２を有していなくても良い。すなわち、映像配信装置１４とユーザ端末３０によって通信システムを構成しても良い。
【０１０２】
また、上記実施形態では、配信制御部１４ｄは、通信端末と該通信端末への配信対象の頁画像を紐づけて管理しているが、この紐づけを行わなくても良い。この場合、配信制御部１４ｄは、通信端末の要求によらず各ページ画像のサムネイル（縮小画像）を含むページ一覧のデータを該通信端末に送信し、配信対象の頁画像を該通信端末で必ず選択させるようにしても良い。
【０１０３】
また、上記実施形態では、ＩＷＢ１０の表示部１２にページリストが表示されているが、表示されなくても良い。
【０１０４】
また、映像配信装置１４に通信可能に接続される通信端末の数は、１つ以上であれば良い。
【符号の説明】
【０１０５】
１０…ＩＷＢ（表示装置）、１２…表示部、１４…映像配信装置、１４ｂ…画像生成部、１４ｃ…頁画像生成部、１４ｄ…配信制御部、３０…ユーザ端末、１００…通信システム。
【先行技術文献】
【特許文献】
【０１０６】
【特許文献１】特開２００９−１５７７９９号公報
【図１】
2017169155.tif 000003
【図２】
2017169155.tif 000004
【図３】
2017169155.tif 000005
【図４】
2017169155.tif 000006
【図５】
2017169155.tif 000007
【図６】
2017169155.tif 000008
【図７】
2017169155.tif 000009